(57)【要約】  本発明の一つの実施例によると、システム及び方法であって、他入力・他出力（ＭＩＭＯ）通信システムにおける第１無線ノードと第２無線ノードとの間の第１送信経路の強度の第１履歴を保持し、ＭＩＭＯ通信システムにおける第３無線ノードと第２無線ノードとの間の第２送信経路の強度の第２履歴を保持し、そして、第１送信経路の強度の変化が観測されているか判断するよう第１履歴と第２履歴との間に空間的・時間的相関関係を関連付けし、さらに、第３無線ノードと第２無線ノードとの間の第２送信経路の強度に対する未来変化を関連付けされた第１履歴と第２履歴との間の特別な相関関係に基づいて予測する。
2009527986.tif 000002
【特許請求の範囲】
【請求項１】
他入力・他出力（ＭＩＭＯ）通信システムにおいて第１無線ノードと第２無線ノードとの間の第１送信経路の強度の第１履歴を保持するステップと、
前記ＭＩＭＯ通信システムにおいて第３無線ノードと前記第２無線ノードとの間の第２送信経路の強度の第２履歴を保持するステップと、
前記第１送信経路の強度の変化が観測されているか判断するよう前記第１履歴と前記第２履歴との間に空間的・時間的相関関係を関連付けするステップと、
前記第１履歴と前記第２履歴との間に関連付けされた前記空間的・時間的相関関係に基づいて、前記第３無線ノードと前記第２無線ノードとの間の前記第２送信経路の強度に対して、未来変化を予測するステップと、
を含む方法。
【請求項２】
前記第１送信経路に対応する信号強度とデータ転送速度の少なくとも一つから、前記第１送信経路の強度を決定するステップと、
前記第２送信経路に対応する信号強度とデータ転送速度の少なくとも一つから、前記第２送信経路の強度を決定するステップと、
をさらに含むことを特徴とする請求項１に記載の方法。
【請求項３】
前記第１履歴と前記第２履歴との間に空間的・時間的相関関係を関連付けすることは、
前記第１送信経路の強度の変化が観測されているか判断するよう、前記第１履歴と前記第２履歴との間に連続的な空間的・時間的相関関係を関連付けすることを含む請求項１に記載の方法。
【請求項４】
前記第１履歴と前記第２履歴との間に空間的・時間的相関関係を関連付けすることは、
前記第１送信経路及び前記第２送信経路のそれぞれの強度における事前定義された特徴の空間的・時間的相関関係を関連付けすることを含む請求項１に記載の方法。
【請求項５】
前記事前定義された特徴は、時間ドメイン又は周波数ドメインの少なくとも一方であることを特徴とする請求項４に記載の方法。
【請求項６】
前記第１無線ノードと前記第３無線ノードのそれぞれは送信機装置を備え、前記第２無線ノードは受信機装置を備えることを特徴とする請求項１に記載の方法。
【請求項７】
前記ＭＩＭＯシステムは、第２サブシステムと通信する第１サブシステムを備え、前記第１サブシステムは前記第１ノード及び第３ノードを備え、さらに、前記第２サブシステムは前記第２ノードを備えることを特徴とする請求項６に記載の方法。
【請求項８】
リモートソースから前記第１サブシステムでデータ信号を受信するステップと、
受信した前記データ信号のデータ内容を複数のデータ信号部分に分割するステップと、
第１データ部分を前記第２サブシステムへ前記第１無線ノードを介して送信するステップと、
第２データ部分を前記第２サブシステムへ前記第３無線ノードを介して送信するステップと、
前記第２ノードにおいて、前記第１データ部分と前記第２データ部分を受信するステップと、
をさらに含むことを特徴とする請求項７に記載の方法。
【請求項９】
前記第１サブシステムは複数の送信無線ノードを備え、前記第２サブシステムは複数の受信無線ノードを備え、さらに、前記複数のデータ部分における前記データ部分のそれぞれを、前記第１サブシステムの別々の無線ノードによって送信し、そして、前記第２サブシステムの前記受信無線ノードそれぞれによって受信することを特徴とする請求項８に記載の方法。
【請求項１０】
他入力・他出力（ＭＩＭＯ）通信システムにおいて第１無線ノードと第２無線ノードとの間の第１送信経路の強度の第１履歴を保持し、そして、前記ＭＩＭＯ通信システムにおいて第３無線ノードと前記第２無線ノードとの間の第２送信経路の強度の第２履歴を保持するメモリーと、
前記第１送信経路の強度の変化が観測されているか判断するよう前記第１履歴と前記第２履歴との間に空間的・時間的相関関係を関連付けする空間的・時間的相関関係ロジックと、
前記第１履歴と前記第２履歴との間に関連付けされた前記空間的・時間的相関関係に基づいて、前記第３無線ノードと前記第２無線ノードとの間の前記第２送信経路の強度に対して、未来変化を予測する予測ロジックと、
を備えるシステム。
【請求項１１】
前記第１送信経路に対応する信号強度とデータ転送速度の少なくとも一つから、前記第１送信経路の強度を決定し、そして、前記第２送信経路に対応する信号強度とデータ転送速度の少なくとも一つから、前記第２送信経路の強度を決定する送信経路分析ロジックをさらに備えることを特徴とする請求項１０に記載のシステム。
【請求項１２】
前記空間的・時間的相関関係ロジックが、前記第１送信経路の強度の変化が観測されているか判断するよう、前記第１履歴と前記第２履歴との間に連続的な空間的・時間的相関関係を関連付けすることを特徴とする請求項１０に記載のシステム。
【請求項１３】
前記空間的・時間的相関関係ロジックが、前記第１送信経路及び前記第２送信経路のそれぞれの強度における事前定義された特徴の空間的・時間的相関関係を関連付けすることを特徴とする請求項１０に記載のシステム。
【請求項１４】
前記事前定義された特徴は、時間ドメイン又は周波数ドメインの少なくとも一方であることを特徴とする請求項１３に記載のシステム。
【請求項１５】
前記第１無線ノードと前記第３無線ノードのそれぞれは送信機装置を備え、前記第２無線ノードは受信機装置を備えることを特徴とする請求項１０に記載のシステム。
【請求項１６】
前記ＭＩＭＯシステムは、第２サブシステムと通信する第１サブシステムを備え、前記第１サブシステムは前記第１ノード及び第３ノードを備え、さらに、前記第２サブシステムは前記第２ノードを備えることを特徴とする請求項１５に記載のシステム。
【請求項１７】
リモートソースから前記第１サブシステムでデータ信号を受信する受信機と、
受信した前記データ信号のデータ内容を複数のデータ信号部分に分割するプロセッサーと、
第１データ部分を前記第２サブシステムへ前記第１無線ノードを介して送信する第１送信機と、
第２データ部分を前記第２サブシステムへ前記第３無線ノードを介して送信する第２送信機と、
をさらに備えることを特徴とする請求項１６に記載のシステム。
【請求項１８】
前記第１サブシステムは複数の送信無線ノードを備え、前記第２サブシステムは複数の受信無線ノードを備え、さらに、前記複数のデータ部分における前記データ部分のそれぞれを、前記第１サブシステムの別々の無線ノードによって送信し、そして、前記第２サブシステムの前記受信無線ノードそれぞれによって受信することを特徴とする請求項１７に記載のシステム。
【請求項１９】
命令を記憶している機械によりアクセス可能な媒体であって、コンピュータ装置によって実行される場合に、該コンピュータ装置により、以下の操作を、
他入力・他出力（ＭＩＭＯ）通信システムにおいて第１無線ノードと第２無線ノードとの間の第１送信経路の強度の第１履歴を保持し、
前記ＭＩＭＯ通信システムにおいて第３無線ノードと前記第２無線ノードとの間の第２送信経路の強度の第２履歴を保持し、
前記第１送信経路の強度の変化が観測されているか判断するよう前記第１履歴と前記第２履歴との間に空間的・時間的相関関係を関連付けし、
前記第１履歴と前記第２履歴との間に関連付けされた前記空間的・時間的相関関係に基づいて、前記第３無線ノードと前記第２無線ノードとの間の前記第２送信経路の強度に対して、未来変化を予測すること、
を前記コンピュータ装置に実行させる前記機械によりアクセス可能な媒体。
【請求項２０】
前記第１送信経路の強度の変化が観測されているか判断するよう、前記第１履歴と前記第２履歴との間に連続的な空間的・時間的相関関係を関連付けするソフトウエアをさらに備えることを特徴とする請求項１９に記載の機械によりアクセス可能な媒体。
【発明の詳細な説明】
【技術分野】
【０００１】
本発明の実施態様は無線通信に関する。より詳細には、無線装置による無線信号の送受信に関する。
【背景技術】
【０００２】
今日、携帯電話のような無線装置、無線ルーター、そして、無線で操作する装置は広く用いられている。無線装置は、ユーザが、送受信機の間の物理接続を必要とすること無く、信号を送受信可能とする。物理接続を無くすことは、無線装置の機動性を高め、そしてまた、２つの機器間の通信を構築するためのワイヤー、ケーブル、そして、他の物理的な媒体の使用に関連するオーバーヘッド及び不便さを低減させる。
【０００３】
上記の利点をよそに、無線装置の使用は欠点も有する。欠点の一つは、多入力・多出力（MIMO）システムのようなシステム内の無線ノード間の送信経路が信頼性に欠ける可能性があることである。無線送信経路において、他要素間でのフェーディング及びシャドウイングが、無線信号と、これに対応する送信信号のデータ転送速度を、ある事象に依存して変化させる。その事象の一つは、ある環境における動体又は無動体の存在である。その動体又は無動体は、データ送信の品質を、空間と時間を通じて変化させる可能性がある。データ送信の変動と信頼性の欠如は、マルチメディアストリーミングアプリケーションに問題をもたらす。これは、送信経路のキャパシティー（transmission path capacity）の突然の減少によって、顕著なアーティファクトが、マルチメディアストリームの表示及び再生の際に起こるからである。
【０００４】
このように、マルチメディアソースは出力転送速度の変化を引き起こす時間をより多く有することから、送信経路のキャパシティーの予測した変化に調和する出力データ転送速度を変更して、マルチメディアソースが扱い易くなるように、送信経路のキャパシティーの変化を予測することは価値があることである。
【発明の開示】
【課題を解決するための手段】
【０００５】
本発明の概要
本発明の実施態様は、以下の方法とすることができる。多入力・多出力（MIMO）通信システムにおいて、第１無線ノードと第２無線ノードとの間の第１送信経路における強度の第１履歴を保持し、ＭＩＭＯ通信システムにおいて、第３無線ノードと第２無線ノードとの間の第２送信経路における強度の第２履歴を保持し、さらに、第１送信経路の強度における変化が観測されているか判断するよう、第１履歴と第２履歴との間に空間的・時間的相関関係（spatiotemporal correlation）を関連付けし（performing）、そして、第１履歴と第２履歴との間に関連付けされた空間的・時間的相関関係に基づいて第３無線ノードと第２無線ノードとの間の第２送信経路の強度に対する未来変化を予測するための方法。
【０００６】
本発明の他の実施態様はまた、以下のシステムとすることができる。そのシステムは、多入力・多出力（MIMO）通信システムにおいて、第１無線ノードと第２無線ノードとの間の第１送信経路における強度の第１履歴を保持し、さらに、ＭＩＭＯ通信システムにおいて、第３無線ノードと第２無線ノードとの間の第２送信経路における強度の第２履歴を保持するメモリーと、第１送信経路の強度における変化が観測されているか判断するように第１履歴と第２履歴との間に空間的・時間的相関関係を関連付けする空間的・時間的相関関係ロジックと、第１履歴と第２履歴との間に関連付けされた空間的・時間的相関関係に基づいて第３無線ノードと第２無線ノードとの間の第２送信経路の強度に対する未来変化を予測する予測ロジック（predictor logic）とを備える。
【０００７】
本発明の他の実施態様はまた、記憶した命令を有する機械によりアクセス可能な媒体とすることができる。その記憶した命令は、コンピュータ装置によって実行された場合、コンピュータ装置に、以下の操作を実行させる。多入力・多出力（MIMO）通信システムにおいて、第１無線ノードと第２無線ノードとの間の第１送信経路における強度の第１履歴を保持する。さらに、ＭＩＭＯ通信システムにおいて、第３無線ノードと第２無線ノードとの間の第２送信経路における強度の第２履歴を保持する。そして、第１送信経路の強度における変化が観測されているか判断するよう第１履歴と第２履歴との間に空間的・時間的相関関係を関連付けする。最後に、第１履歴と第２履歴との間に関連付けされた空間的・時間的相関関係に基づいて第３無線ノードと第２無線ノードとの間の第２送信経路の強度に対する未来変化を予測する。
【０００８】
本発明の実施例は、以下の詳細な説明及び添付の図面を参照することによって最も良く理解でき、それらは、本発明の実施例を説明するよう用いられる。
【発明を実施するための最良の形態】
【０００９】
本発明の実施態様は一般に、多入力・多出力（MIMO）通信システムにおける経路の強度に対する未来変化を予測するためのシステム及び方法に関する。本発明の実施態様は、様々な無線装置に用いられるＭＩＭＯ送信機及びＭＩＭＯ受信機に適用することができる。これら無線装置は固定可能又は移動可能とすることが可能である。無線装置の例としては、以下のものに制限又は限定することはしないがそれらを含む。それは、携帯電話、ポケベル、情報形態端末（PDA）、ポータブルコンピュータ、携帯ビデオゲーム装置、ルーター、無線操作装置などである。
【００１０】
本発明の様々な実施例における詳細な理解を提供するために、詳細な説明において以下説明する。しかし、本発明は、それらに示したものより多くの実施態様で実施することが可能である。説明を不必要に分かりにくくすることを避けるために、既知のロジック及び動作は、詳細な説明において説明していない。
【００１１】
以下の詳細な説明において、ある専門用語は、本発明の様々な実施例の特徴を説明するのに用いられる。例えば、用語「他入力・他出力」は、複数のアンテナから同一のデータを同時に送受信するために、複数のアンテナを備える装置を含む。
【００１２】
用語「ソフトウエア」は一般に、オペレーティングシステム、アプリケーション、アプレット、ルーチンや一又は二以上の命令などのような実行可能なコード（executable code）を意味する。ソフトウエアは、あらゆるタイプのメモリー、すなわち適切な記憶媒体に記憶される。その記憶媒体は、プログラマブル電気回路（programmable electronic circuit）、半導体メモリー装置、揮発性メモリー（ランダムアクセスメモリーなど）、不揮発性メモリー（リードオンリーメモリー、フラッシュメモリーなど）、フロッピディスク、光学ディスク（コンパクトディスク、DVD）、ハードドライブディスク、テープ、相互接続されるあらゆるタイプ（以下に定義する）などである。
【００１３】
用語「送信経路」は、論理経路、物理経路のどちらであっても、以下の定義のように用いられる。送信論理経路は、装置の物理層におけるアンテナや無線通信機の台数に依存する。例えば、Ｔ１及びＴ２のような２つの送信アンテナを備えたＭＩＭＯシステムが、Ｒ１及びＲ２のような２つの受信アンテナと通信した場合、送信アンテナと受信アンテナとの間に、４つの送信論理経路が存在する（例えば、Tl-Rl、 T1-R2、 T2-R1、T2-R2）。送信論理経路は、それを構成する送信物理経路に分けることができる。無線（ＲＦ）波伝播に基づくような、多くの無線システムに関して、ＲＦエネルギーは、T1-R1のような直接送信アンテナから受信アンテナへのみの伝播はめったに行われない。それよりむしろ、反射（reflection）、屈折（refraction）、回折（diffraction）に起因して、ＲＦエネルギーはＴ１からＲ１へ、いくつものルートをとる可能性がある。これは通常、マルチパスと呼ばれる。送信論理経路は、Ｔ１とＲ１との間の様々な物理経路全てに渡って伝播した全ＲＦエネルギー（Ｒ１で測定されるような）の組み合わせである。受信ＲＦ信号を分解するが、送信チャンネルのインパルス応答（impulse response）を用いることによって、主要な個々の物理経路を通じて伝播したＲＦ信号は、Ｒ１において復元することができる。その結果、本発明の実施例は、送信論理経路だけではなく送信物理経路にも適用することが考えられる。
【００１４】
図１を参照すると、本発明の実施例が実施可能な簡易化した無線ネットワーク１ａのブロック図を示す。典型的な実施例において、無線ネットワーク１ａは、第２サブシステム１０ｂと無線通信する第１サブシステム１０ａを備える多入力・多出力（MIMO）通信システムである。本発明のこの実施例によると、第１サブシステム１０ａは、送信機のサブシステムであり、第２サブシステム１０ｂは、受信機のサブシステムである。当然、サブシステム１０ａと１０ｂのそれぞれ又は両方は、送受信機能を有する送受信機とすることもできる。
【００１５】
第１サブシステム１０ａは、送信機ノードＴ１とＴ２のような、複数の無線送信機ノード１１を備える。第２サブシステム１０ｂは、受信機ノードＲ１のような、少なくとも一つの無線受信機ノード１２を備える。図３乃至６と併せて、より詳細に説明されているように、第１サブシステム１０ａは、無線送信機ノード１１を通じて、複数の送信経路１４及び１５を介し、データ信号１３の内容を無線受信機ノード１２へ送信する。送信経路１４及び１５はそれぞれ、送信機ノードＴ１及びＴ２に対応する。次に、第２サブシステム１０ｂは、送信経路１４及び１５から受信データを収集して、ＭＩＭＯ受信機１６内で再構築し、さらに、再構築されたデータ内容を信号１７の形態に出力する。その信号１７は、信号１３と同内容である。
【００１６】
しかしながら、送信経路１４及び１５は、それら経路内において、家のような動かない障害物又は自動車のような移動障害物によって影響される可能性がある。また、他の無線装置からの干渉によっても影響される可能性がある。本発明の実施例の動作をより説明するために、詳細な説明において移動障害物１８を用いる。ある経路に沿った障害物１８の動作（ライン１９として示す）は、送信経路１４及び１５を、交差ポイント１４ａ及び１５ａのように部分的又は完全に妨害する。典型的な実施例において、障害物１８は、一度に一つの障害状態をもたらす。その結果、第１送信経路１４は、交差ポイント１４ａにおいて妨害される。そして次に、障害物１８はライン１９に沿って移動し、送信経路１４の妨害が無くなる。同様に、その後、ライン１９に沿った障害物１８の連続した動作によって、送信経路１５は交差ポイント１５ｂで妨害され、さらにその後、妨害が無くなる。
【００１７】
図２は、送信経路１４及び１５の強度をそれぞれ、ライン２０及び２４によって示す。上記説明したように、送信経路１４及び１５の強度は、移動障害物１８によって減少する可能性がある。送信経路の強度は、無線ノード１１と１２との間のデータ転送速度や信号強度によって、又はデータを送信する第１サブシステム１０ａの機能の他の手段によって、表すことができる。障害物１８が、ライン１９に示された経路に沿って無線ネットワーク１ａを進む場合、信号強度の減少は時間とともに変化する可能性がある。図２内のライン２０は、障害物１８が無線ネットワーク１ａを進む際の、送信経路１４の強度を示す。「凹み」２２は、障害物１８が送信経路１４の強度を最も減少させた時を示す。障害物１８がライン１９に示された経路に沿って続いた場合、送信経路１５の強度を表すライン２４の凹み２６によって示されるように、障害物１８は、送信経路１５の信号強度を減少させると考えられる。凹み２６は、障害物１８が送信経路１５の強度を最も減少させた時を示す。
【００１８】
送信経路１４の強度の減少は、送信経路１５の信号強度の減少に先行していることが、図２で示された凹み２２及び２６から分かる。従って、図３乃至６に詳細が示されるように、送信経路１４の信号強度の減少は、送信経路１５の信号強度の減少のための予測値とすることができる。
【００１９】
無線ネットワーク１ａの典型的な一連の動作を図３乃至６を用いて、より詳細に説明する。図３は、フローチャートであって、図１とともに本発明の典型的な実施例の方法を示す。図３を見ると、動作開始の後（ブロック３００）、第１無線ノードと第２無線ノードとの間（例えば、Ｔ１とＲ１間）における第１送信経路の強度の第１履歴（例えば、図１の送信経路１４）を保持する（ブロック３１０）。第１履歴はメモリー３内に記憶することができる。次に、第３無線ノードと第２無線ノードとの間（例えば、Ｔ２とＲ１間）における第２送信経路の強度の第２履歴（例えば、図１の送信経路１５）を保持する（ブロック３２０）。同様に、第２履歴はメモリー３内に記憶することができる。
【００２０】
本発明の典型的な実施例において、送信経路１４及び１５の強度の上記履歴はまた、受信機（例えば、無線受信機ノード１２）として動作する無線ノードのためにメモリー内に保持することができる。送信経路の強度の履歴は、装置（図示せず）によって保持することができる。その装置は、送信経路の強度の情報を受信し、そして、無線ノードに予測を提供する。その装置は、無線受信機ノード１２又は別の装置の一部とすることが可能である。送信経路の強度の履歴は、受信機ノード１２と無線受信機ノード１２に送信を行う送信機ノード１１の間のものとすることができる。メモリー３内に備わっている送信経路分析ロジック２は、それぞれの送信経路１４及び１５に対応する信号強度やデータ転送速度から、送信経路１４及び１５の強度を決定するよう用いられる。
【００２１】
ブロック３１０、３２０の動作に続いて、第１送信経路の強度における変化が観測されているか判断するよう第１履歴と第２履歴との間の空間的・時間的相関関係を、メモリー３内に備わっている空間的・時間的相関関係ロジック８などによって関連付けする（ブロック３３０）。これは一つの空間的・時間的相関関係であるため、異なる空間的関係における複数ノードのための履歴の使用可能性は、さらなる機能的な変化要因を相関関係に加える。本発明の典型的な実施例において、関連付けした空間的・時間的相関関係は、連続的な空間的・時間的相関関係である。本発明の他の典型的な実施例において、関連付けした空間的・時間的相関関係は、それぞれの送信経路（例えば、送信経路１４及び１５）の強度における事前定義した特徴である。事前定義した特徴は、時間ドメイン（time domain）又は周波数ドメイン（frequency domain）の少なくとも一方である。
【００２２】
本発明の典型的な実施例において、空間的・時間的相関関係は、２つの信号と、２つの信号の間のデルタ時間（delta time）である時間シフトとの間の相関関係の関数である。図４は性質上、２つの送信経路１４、１５の強度２０、２４（図２で示すとともに上記で説明されている）の時間的相関関係４０を表す。信号間の高度な相関関係４２（絶対値が１に到達するような）から、凹み２２、２６（図２）が２つの送信経路１４、１５の強度２０、２４で発生した時の時間の差と、デルタ時間４４がおおよそ等しいことが分かる。
【００２３】
図３に戻ると、もし、第１の送信経路（送信経路１４）の強度の変化が観測された場合、関連付けされた空間的・時間的相関関係が有意な相関関係であるか判断する（ブロック３５０）。例えば、障害物１８（図１）が一定の速度プロファイルで単純な固定経路に沿って動いた場合、時間的相関関係は、送信機Ｔ２と受信機Ｒ１の間における信号強度の減少のための予測として完璧に近くなるであろう。当然のことながら、この事象は有り得ない。より一般的には、送信経路１５のような送信経路の強度は、様々な経路に沿って異なる速度で移動する多様な障害物によって影響されると考えられる。それでもなお、単純化した予測可能な障害物のコンセプトはまだ用いられる。妨害物の変動が、より大きい場合、送信経路における強度の減少の間の時間的相関関係は、重要では無く、時間とともに変化する傾向がある。適切に有意な時間的相関関係はいまだに、有用な予測値とすることができる。ここで、適切に有意とは例えば、０．４のような閾値を超える相関関係である（相関関係の絶対値は、兆候（sign）を大抵の場合、無視することができる十分な値である）。
【００２４】
関連付けされた空間的・時間的相関関係が有意な相関関係であると判断された場合（ブロック３５０）、第３無線ノードと第２無線ノードとの間（例えば、Ｔ２とＲ１間）の第２送信経路（例えば、送信経路１５）の強度の未来変化は、第１履歴と第２履歴との間の関連付けされた空間的・時間的相関関係に基づいて予測される。予測は、メモリー３内に備わっている予測ロジック９によって適切に行われる。予測、又は第１送信経路（送信経路１４）の強度の変化が観測されない場合、そして、関連付けされた空間的・時間的相関関係が有意な相関関係とならない場合（ブロック３４０、３５０、３６０）に続いて、フローはブロック３１０に戻る。
【００２５】
図５は典型的なフローチャートであって、図１と併せることで、上記実施例とともに用いることが可能な本発明の実施例のための他の方法を示す。図５を参照すると、開始に続いて（ブロック５００）、データ信号１３は、リモートソース（図示せず）から第１サブシステム１０ａ（図１）の受信機ユニット（例えば、エンコーダー５）で受信される。そのデータ信号１３を、所定の送信データ転送速度で受信する。次に、プロセッサー４などによって、受信データ信号１３のデータ内容を、データ部分１３ａや１３ｂのような複数のデータ信号部分に分割する。受信データ信号１３の内容を実質的に等しいサイズの複数のデータ部分に分割する。
【００２６】
データ部分１３ａのような第１データ部分はデマルチプレクサ６、ｍｏｄ＿２のような復調器７（demodulator）、そして、Ｔ２のような無線送信ノード１１を通じて、さらに送信経路１５のような第１送信経路を介して、第２サブシステム１０ｂに送信される（ブロック５３０）。データ部分１３ｂのような第２データ部分は、デマルチプレクサ６、ｍｏｄ＿１のような他の復調機７、そして、Ｔ１のような他の無線送信ノード１１を介して、さらに送信経路１４のような第２送信経路を介して、第２サブシステム１０ｂに送信される（ブロック５４０）。各データ部分は、ある転送速度で送信される。その転送速度は、受信信号１３の所定の送信データ転送速度に相当しており、その受信信号１３は、データ部分を送信するのに用いる無線送信機ノード１１の台数で分割されている。例えば、受信信号１３の所定の送信データ転送速度は６０メガビット／秒（mbps）であるとすると、それぞれのデータ部分１３ａ、１３ｂは、少なくとも転送速度が３０ｍｂｐｓで送信される。データ部分１３ａ及び１４ｂのような第１データ部分及び第２データ部分を、第２サブシステム１０ｂで受信する。第２サブシステムは、ＭＩＭＯ受信機１６を介してそれらのデータ部分を再構築し、そして、再構築したデータ内容を信号１７の形態に出力する。信号１７は、信号１３と同じであるデータ部分１３ａ及び１４ｂを有する。全フローは終了する（ブロック５６０）。
【００２７】
当然のことながら、本発明の実施例は、本発明の実施例に関して複数の役割を可能な限り引き受けている各ノードを用いることで、図１に示したよりも多いノードを有する大きく異なるトポロジーの無線ネットワークでも用いることができる。本発明の実施例は、８０２．１１無線周波（ＲＦ）無線ネットワーク（radio frequency wireless networks）や赤外線（ＩＲ）無線ネットワーク（infrared wireless networks）には制限しないが、これらのような様々な無線ネットワークで用いることができる。
【００２８】
図６は、本発明の実施例で実施される、より複雑な無線ネットワーク１ｂのブロック図である。図１Ｂで示すように、無線ネットワーク１ｂは、他入力・他出力（MIMO）通信システムであって、第２サブシステム２００ｂと通信する第１サブシステム２００ａを備える。第１サブシステム２００ａは、最小形態では無線送信機のサブシステムである。第２サブシステム２００ｂは、最小形態では無線受信機のサブシステムである。第１サブシステム２００ａは、Ｔ１からＴＮ（Ｎ＞１）のような複数の無線送信機ノード２１１を備え、そして、第２サブシステム２００ｂは、Ｒ１からＲＭ（Ｍ＞１）のような複数の受信無線ノード２１２を備える。受信信号１３０の内容は、無線送信機ノード２１１によって無線受信機ノード２１２へ送信される。これにより、各無線送信機ノード２１１が、全ての無線受信機ノード２１２へ送信する。例えば、送信機ノードＴ１は各受信機ノードＲ１からＲＭに対して、送信経路１４０＿１から１４０＿Ｍを介して、同一の内容を送信する。
【００２９】
図１の無線ネットワーク１ａとともに上記説明したとおり、無線ネットワーク１ｂの送信経路（Ｔ１のＲ１からＲＭ（Ｍ＞１）への送信にそれぞれ対応する送信経路１４０＿１から１４０＿Ｍ（Ｍ＞１））の強度は移動する障害物１８によって、減少する可能性がある。図３とともに上記説明した方法を適用すると、障害物１８の経路内における送信経路の強度の変化（送信経路分析ロジック２によって決定する）は、無線ネットワーク１ｂの複数の送信経路における強度の履歴間の空間的・時間的相関関係（空間的・時間的相関関係ロジック２０８によって関連付けされる）に基づいて（メモリー２０３内に備わっている予測ロジック２０９によって）予測することができる。
【００３０】
図５とともに上記で説明した方法は、無線ネットワーク１ｂに適用することができ、エンコーダー２０５において、所定の送信転送速度で信号１３０を受信し、プロセッサー２０４によって、１３０ａ、１３０ｂ、１３０ｃなどのような複数のデータ部分に信号１３０を分割する。１３０ａ、１３０ｂ、１３０ｃなどのような複数のデータ部分それぞれは、デマルチプレクサ２０６及び、変調器２０７（modulator）（例えば、無線ノード２１１と通信するｍｏｄ＿１からｍｏｄ＿Ｎ（Ｎ＞１））の一つを介して送信される。無線ノード２１１は例えば、第２サブシステムにおけるＲ１からＲＭ（Ｍ＞１）のような受信無線ノード２１２のそれぞれに対応するＴ１からＴＮ（Ｎ＞１）の一つである。データ部分は、受信信号１３０の所定の送信データ転送速度に相当する転送速度で送信される。その受信信号１３０は、データ部分を送信するのに用いる無線送信ノード２１１の台数で分割される。次に、データ部分は第２サブシステム２００ｂで受信される。サブシステム２００ｂは、ＭＩＭＯ受信機１６０を介してデータ部分を再構築し、信号１７０の形態に再構築されたデータ内容を出力する。再構築されたデータ内容は、データ部分の内容と同一であり、信号１３０のフォーマットである。
【００３１】
本発明の他の典型的な実施例は、メインメモリ又は、命令が記憶されているハードディスクなどの他のストレージ装置（図示せず）のような機械によりアクセス可能な媒体を備える。その命令が、プロセッサー４又は２０４などのコンピュータ装置によって実行された場合、コンピュータ装置に対して、図３乃至６とともに上記で説明した動作を実行させる。
【００３２】
ここで留意すべきは、上記の実施例の様々な特徴は説明を明確にするためだけに述べており、全て又は部分的な特徴を、これら特徴の全て又はいくつかを有する本発明の一つの実施例に組み込むことができる。さらに留意すべきは、本発明の実施例は無線システムに関連して述べているが、同軸ケーブルや他の媒体を介した送信のような非無線システムにも関連する。
【図面の簡単な説明】
【００３３】
【図１】本発明の実施例が実施可能な簡易化した無線ネットワークブロック図である。
【図２】図１の無線ネットワークにける時間上の送信経路の強度のグラフである。
【図３】本発明の実施例のための方法のフローチャートである。
【図４】図１に示した複数の送信経路における強度間の時間的相関関係を示したグラフである。
【図５】本発明の実施例のための他の方法を示したフローチャートである。
【図６】本発明の実施例が実施可能な、より複雑な無線ネットワークブロック図である。
【図１】
2009527986.tif 000003
【図２】
2009527986.tif 000004
【図３】
2009527986.tif 000005
【図４】
2009527986.tif 000006
【図５】
2009527986.tif 000007
【図６】
2009527986.tif 000008
【国際調査報告】
2009527986.tif 000009